(57)【要約】  本発明は無線通信分野に関し、特にマルチ送信アンテナの移動端末がサウンディング・レファレンス信号を送信する技術に関する。サウンディング・レファレンス信号の受信方法において、移動端末が備える各高周波送信モジュールは、送信周期が到達する際、それぞれに割り当てられた伝送コム（Ｔｒａｎｓｍｉｓｓｉｏｎ  Ｃｏｍｂ、ＴＣ）値と循環シフト（Ｃｙｃｌｉｃ  Ｓｈｉｆｔ、ＣＳ）値により送信されたサウンディング・レファレンス信号（Ｓｏｕｄｉｎｇ  Ｒｅｆｅｒｅｎｃｅ  ｓｉｇａｎｌｓ）ＳＲＳを受信するステップと、前記それぞれ各高周波送信モジュールに割り当てたＴＣ値とＣＳ値により、受信した各ＳＲＳ信号に対応する高周波送信モジュールを確定するステップとを有する。任意２つの高周波送信モジュールに割り当てたＴＣ値とＣＳ値が完全に同一ではない。本発明はサウンディング・レファレンス信号の受信装置及びサウンディング・レファレンス信号の送信方法と、装置を提供する。各高周波送信モジュールに完全に同一ではないＴＣ値とＣＳ値を割り当てたため、（複数の）高周波送信モジュールが（複数の）送信アンテナによりＦＤＭ、またはＣＤＭ方式を利用して同一送信周期でＳＲＳ信号を送信できる。【選択図】図５ｂ
2011525079.tif 000002
【特許請求の範囲】
【請求項１】
移動端末が備える各高周波送信モジュールは、送信周期が到達する際、それぞれに割り当てられた伝送コムＴＣ値と循環シフトＣＳ値を含んで送信されたサウンディング・レファレンス信号ＳＲＳを受信するステップと、
前記それぞれ各高周波送信モジュールに割り当てたＴＣ値とＣＳ値により、受信した各ＳＲＳ信号に対応する高周波送信モジュールを確定するステップとを含み、
任意の２つの前記高周波送信モジュールに割り当てた前記ＴＣ値及びＣＳ値は、完全に同一ではない
ことを特徴とするサウンディング・レファレンス信号の受信方法。
【請求項２】
前記移動端末が備える各高周波送信モジュールが、送信周期が到達する際に各自に割り当てられたＴＣ値とＣＳ値により送信されたＳＲＳ信号を受信する前に、
各高周波送信モジュールにＴＣ値とＣＳ値を割り当て、前記移動端末に割り当て情報を送信するステップと、
移動端末は前記割り当て情報により各高周波送信モジュールに割り当てるＴＣ値とＣＳ値を確定するステップとを含む
ことを特徴とする請求項１記載のサウンディング・レファレンス信号の受信方法。
【請求項３】
前記各高周波送信モジュールにＴＣ値とＣＳ値を割り当てる前に、移動端末が備える高周波送信モジュール数を取得するステップを含み、
前記各高周波送信モジュールにＴＣ値とＣＳ値を割り当てることは、取得した高周波送信モジュール数により、各高周波送信モジュールにＴＣ値とＣＳ値を割り当てるステップを含む
ことを特徴とする請求項２記載のサウンディング・レファレンス信号の受信方法。
【請求項４】
前記各高周波送信モジュールにＴＣ値とＣＳ値を割り当てることは、
各高周波送信モジュールに同一のＴＣ値、及び異なるＣＳ値を割り当てるステップ、
各高周波送信モジュールに同一のＣＳ値、及び異なるＴＣ値を割り当てるステップ、
または、前記高周波送信モジュールのうちの任意２つの高周波送信モジュールに異なるＣＳ値を割り当て、及び任意２つの高周波送信モジュールに異なるＴＣ値を割り当てるステップを含む
ことを特徴とする請求項２記載のサウンディング・レファレンス信号の受信方法。
【請求項５】
前記各高周波送信モジュールに異なるＣＳ値を割り当てることは、
ｎを１〜Ｎの自然数とし、Ｎを高周波送信モジュール数とし、ＣＳｎを第ｎの高周波送信モジュールのＣＳ値とし、ＣＳ＿Ｓｈｉｆｔを設定されたＣＳオフセット量とし、ｍを設定された１つの正の整数であるとした場合に、
ＣＳｎ＋１＝（ＣＳｎ＋ＣＳ＿Ｓｈｉｆｔ）％ｍ  により表される式によって行われる
ことを特徴とする請求項４記載のサウンディング・レファレンス信号の受信方法。
【請求項６】
前記割り当て情報は、前記同一のＴＣ値、及び前記異なるＣＳ値のうちのいずれか１つのＣＳ値を含み、
前記割り当て情報により各高周波送信モジュールに割り当てるＴＣ値とＣＳ値を確定することは、
前記割り当て情報に含まれるＴＣ値により各高周波送信モジュールに前記同一のＴＣ値を割り当てることを確定するステップと、
前記割り当て情報に含まれるＣＳ値及び前記式により前記異なるＣＳ値を確定するステップと、
各高周波送信モジュールに前記異なるＣＳ値を割り当てることを確定するステップとを含む
ことを特徴とする請求項５記載のサウンディング・レファレンス信号の受信方法。
【請求項７】
前記高周波送信モジュール数は２であり、
前記各高周波送信モジュールに異なるＴＣ値を割り当てることは、２つの高周波送信モジュールのそれぞれにＴＣ１とＴＣ２を割り当てることであり、
当該ＴＣ１と当該ＴＣ２が同一ではない
ことを特徴とする請求項４記載のサウンディング・レファレンス信号の受信方法。
【請求項８】
前記割り当て情報は、前記同一のＣＳ値と、前記異なるＴＣ値のいずれか１つであるＴＣ値を含み、
前記割り当て情報により各高周波送信モジュールに割り当てるＴＣ値とＣＳ値を確定することは、
前記割り当て情報に含まれるＣＳ値により各高周波送信モジュールに前記同一のＣＳ値を割り当てることを確定するステップと、
前記高周波送信モジュールのうちの１つの高周波送信モジュールに前記割り当て情報中のＴＣ値を割り当て、他の１つの高周波送信モジュールに前記割り当て情報中のＴＣ値の反数を割り当てることを確定ステップとを含む
ことを特徴とする請求項７記載のサウンディング・レファレンス信号の受信方法。
【請求項９】
前記割り当て情報は、各高周波送信モジュールに割り当てるすべてのＴＣ値とＣＳ値を含む
ことを特徴とする請求項２から５、及び請求項７のいずれか１に記載のサウンディング・レファレンス信号の受信方法。
【請求項１０】
送信周期が到達したかどうかを検出するステップと、
送信周期が到達した際、各高周波送信モジュールがそれぞれに割り当てられたＴＣ値とＣＳ値によりＳＲＳ信号を送信することを制御するステップとを含み、
任意の２つの前記高周波送信モジュールに割り当てたＴＣ値とＣＳ値は、完全に同一ではない
ことを特徴とするサウンディング・レファレンス信号の送信方法。
【請求項１１】
前記各高周波送信モジュールがそれぞれに割り当てられたＴＣ値とＣＳ値によりＳＲＳ信号を送信することを制御する前に、
基地局が各高周波送信モジュールに割り当てたＴＣ値とＣＳ値の割り当て情報を受信するステップと、
前記割り当て情報により基地局が各高周波送信モジュールに割り当てたＴＣ値とＣＳ値を確定するステップとを含む
ことを特徴とする請求項１０記載のサウンディング・レファレンス信号の送信方法。
【請求項１２】
前記基地局が各高周波送信モジュールに割り当てたＴＣ値とＣＳ値の割り当て情報を受信する前に、
基地局に高周波送信モジュール数を報告するステップと、
前記基地局が各高周波送信モジュールに割り当てたＴＣ値とＣＳ値が、前記高周波送信モジュール数により確定されるステップとを含む
ことを特徴とする請求項１１記載のサウンディング・レファレンス信号の送信方法。
【請求項１３】
前記各高周波送信モジュールに割り当てたＴＣ値とＣＳ値は、
各高周波送信モジュールのＴＣ値が同じであるがＣＳ値が異なる、
各高周波送信モジュールのＣＳ値が同じであるがＴＣ値が異なる、
または、各高周波送信モジュールのＣＳ値が異なりかつ各高周波送信モジュールのＴＣ値も異なる
ことを特徴とする請求項１１記載のサウンディング・レファレンス信号の送信方法。
【請求項１４】
前記割り当て情報は各高周波送信モジュールに割り当てた同一のＴＣ値と、異なるＣＳ値のうちのいずれか一つのＣＳ値とを含み、
前記受信した割り当て情報により各高周波送信モジュールに割り当てるＴＣ値とＣＳ値を確定することは、
前記割り当て情報中のＴＣ値により各高周波送信モジュールに前記同一のＴＣ値を割り当てることを確定するステップと、
前記割り当て情報中のＣＳ値により前記異なるＣＳ値を確定するステップと、
各高周波送信モジュールに確定した異なるＣＳ値を配置することを確定するステップとを含む
ことを特徴とする請求項1３記載のサウンディング・レファレンス信号の送信方法。
【請求項１５】
前記割り当て情報は、各高周波送信モジュールに割り当てた同一のＣＳ値と、前記異なるＴＣ値のうちのいずれか一つのＴＣ値とを含み、
前記割り当て情報により各高周波送信モジュールに割り当てるＴＣ値とＣＳ値を確定することは、
前記割り当て情報中のＣＳ値により前記各高周波送信モジュールに当該同一のＣＳ値を割り当てることを確定するステップと、
前記割り当て情報中のＴＣ値により前記異なるＴＣ値を確定するステップと、
各高周波送信モジュールにそれぞれ前記確定した異なるＴＣ値を配置することを確定するステップとを含む
ことを特徴とする請求項1３記載のサウンディング・レファレンス信号の送信方法。
【請求項１６】
前記割り当て情報は、各高周波送信モジュールに配置したすべてのＴＣ値とＣＳ値を含む
ことを特徴とする請求項1１〜１３のいずれか１に記載のサウンディング・レファレンス信号の送信方法。
【請求項１７】
移動端末が備える各高周波送信モジュールは送信周期が到達する際、それぞれに割り当てられたＴＣ値とＣＳ値により送信されたＳＲＳ信号を受信する信号受信モジュールと、
前記各高周波送信モジュールに割り当てたＴＣ値とＣＳ値により、前記信号受信モジュールが受信した各ＳＲＳ信号に対応する高周波送信モジュールを確定する信号確定モジュールとを有し、
任意の２つの前記高周波送信モジュールに割り当てたＴＣ値とＣＳ値は、完全に同一ではない
ことを特徴とする基地局。
【請求項１８】
前記移動端末が備える各高周波送信モジュールにＴＣ値とＣＳ値を割り当てる割り当てモジュールと、
前記割り当てモジュールの割り当て結果により前記移動端末に今回の割り当て情報を送信する割り当て情報送信モジュールとを有する
ことを特徴とする請求項１７記載の基地局。
【請求項１９】
移動端末が報告した高周波送信モジュール数を取得する数取得モジュールを更に有し、
前記割り当てモジュールは、前記数取得モジュールが取得した高周波送信モジュール数により前記移動端末における各高周波送信モジュールにＴＣ値とＣＳ値を割り当てる
ことを特徴とする請求項1８記載の基地局。
【請求項２０】
ＳＲＳ信号を送信する複数の送信アンテナを備える移動端末において、
送信周期が到達したかどうかを検出する周期検出モジュールと、
前記周期検出モジュールが送信周期の到達を検出した際、各高周波送信モジュールが各自に割り当てられたＴＣ値とＣＳ値によりＳＲＳ信号を送信する信号送信モジュールとを有し、
任意の２つの前記高周波送信モジュールに割り当てたＴＣ値とＣＳ値は、完全に同一ではない
を有することを特徴とする移動端末。
【請求項２１】
基地局が各高周波送信モジュールに割り当てたＴＣ値とＣＳ値の割り当て情報を受信する割り当て情報受信モジュールと、
前記割り当て情報受信モジュールが受信した割り当て情報により基地局が各高周波送信モジュールに割り当てたＴＣ値とＣＳ値を確定し、確定結果により各高周波送信モジュールを配置する配置モジュールとを有する
ことを特徴とする請求項２０に記載の移動端末。
【請求項２２】
前記基地局に高周波送信モジュール数を報告する数報告モジュールを更に含む
ことを特徴とする請求項２１に記載の移動端末。
【発明の詳細な説明】
【技術分野】
【０００１】
本発明は無線通信分野に関し、特にマルチ送信アンテナにおける移動端末がサウンディング・レファレンス信号を送信する技術に関する。
【背景技術】
【０００２】
ＳＲＳ（Ｓｏｕｎｄｉｎｇ  Ｒｅｆｅｒｅｎｃｅ  ｓｉｇａｎｌｓ、サウンディング・レファレンス信号）は移動端末が送信したアップリンク信号であり、基地局がＳＲＳ信号を受信した後、ＳＲＳ信号が提供したアップリンクチャネル状態情報によりアップリンクタイミングを検出し、電力制御、アップリンク周波数領域スケジューリング、リンク適応等を行う。ＴＤＤ（Ｔｉｍｅ  Ｄｉｖｉｓｉｏｎ  Ｄｕｐｌｅｘ、時分割複信）システムについては、ダウンリンクにおいて前処理に基づくＭＩＭＯ（Ｍｕｌｔｉｐｌｅ  Ｉｎｐｕｔ  Ｍｕｌｔｉｐｌｅ  Ｏｕｔｐｕｔ、多重入出力）伝送を行う際、基地局はＳＲＳ信号によりチャネル推定を行い、さらに、ダウンリンクチャネル対称性を利用してダウンリンクチャネル状態情報ＣＳＩ（Ｃｈａｎｎｅｌ  Ｓｔａｔｅ  Ｉｎｆｏｒｍａｔｉｏｎ）を取得する。
【０００３】
移動端末が基地局にＳＲＳ信号を送信する前に、基地局はまず移動端末が備える高周波送信モジュールにいくつかのパラメータを配置する必要があり、そのため、それらのパラメータをシグナリングにより移動端末に送信し、移動端末がそれらのパラメータを受信した後、パラメータを高周波送信モジュールに配置する。これにより、高周波送信モジュールは基地局に割り当てられたパラメータに基づき、送信アンテナによってＳＲＳ信号を送信できる。一方、基地局は移動端末の送信したＳＲＳ信号を受信した後、ＳＲＳ信号に含まれたパラメータを読み取ることができ、さらにＳＲＳ信号から読み取ったパラメータにより当該ＳＲＳ信号を送信した移動端末を確定するができる。
【０００４】
一般的に、基地局が移動端末における高周波送信モジュールに配置したパラメータは、ＳＲＳの送信持続時間と、周期及び具体的なシンボル位置と、ＳＲＳの送信周波数領域位置及び周波数ホッピングパターンと、ＴＣ値及びＣＳ値とである。
【０００５】
従来の移動端末は複数の送信アンテナを有するが、複数の送信アンテナがＳＲＳ信号の同時送信をサポートできず、ＳＲＳ信号を交代で送信することしかできないことに本発明の発明者が気づいた。図１は従来技術における二つの送信アンテナを有する移動端末が基地局にＳＲＳ信号を送信することを示す図である。具体的な送信フローは、図２に示すように、以下のステップを含む。
【０００６】
ステップＳ２００において、基地局は移動端末が備える送信アンテナ数を取得する。
移動端末が接続する際、基地局は当該移動端末が備える送信アンテナ数を取得できる。
【０００７】
ステップＳ２０１において、基地局は移動端末にＳＲＳ信号を送信する各種のパラメータを割り当てる。
【０００８】
基地局が移動端末に割り当てるＳＲＳ信号を送信するパラメータは、ＳＲＳの送信持続時間と、送信周期及び具体的なシンボル位置と、ＳＲＳの送信周波数領域位置及び周波数ホッピングパターンと、ＴＣ値及びＣＳ値とを含む。
【０００９】
ステップＳ２０２において、基地局は専用シグナリングを通して前記割り当て結果を移動端末に送信する。
【００１０】
ステップＳ２０３において、移動端末は、基地局からの割り当て結果を受信した後、ＳＲＳ送信周期（以降、送信周期と略称）の到達を検出した際、割り当ての結果に基づいて送信アンテナ１を通して基地局にＳＲＳ信号を送信する。
【００１１】
移動端末の基地局にＳＲＳ信号を送信する１つの送信周期は、一般的に２ｍｓ、５ｍｓ、１０ｍｓ、２０ｍｓ、４０ｍｓ、８０ｍｓ、１６０ｍｓ、３２０ｍｓ等の周期時間である。即ち、移動端末は、ＳＲＳ信号を一回送信した後、１つの送信周期を置いて次回のＳＲＳ信号を送信する。移動端末は基地局からの割り当て結果、即ち割り当てられたパラメータ（ＴＣ値とＣＳ値が含まれる）に基づいて、送信アンテナ１により基地局にＳＲＳ信号を送信する。
【００１２】
ステップＳ２０４において、移動端末は次の送信周期の到達を検出した際、割り当てられた結果に基づいてアンテナ２により基地局にＳＲＳ信号を送信する。
【００１３】
送信アンテナ２に配置されたパラメータは、前ステップＳ２０３における送信アンテナ１に配置されたパラメータと同じであり、基地局からの割り当てパラメータ（ＴＣ値とＣＳ値が含まれる）を利用して基地局にＳＲＳ信号を送信する。
【００１４】
前記ステップＳ２０３、Ｓ２０４が繰り返されることにより、移動端末が備える２つの送信アンテナが異なる送信周期において同じ時間領域と周波数領域位置、及びＴＣ値とＣＳ値を交互に利用してＳＲＳ信号を送信する。その一方、基地局は移動端末が備える送信アンテナ数により、異なる送信周期で受信したＳＲＳ信号がどちらの送信アンテナにより送信されたのかを確定する。例を挙げると、送信アンテナ１が送信周期１、３、５、７の到達する時にＳＲＳ信号を送信し、送信アンテナ２が送信周期２、４、６、８…の到達する時にＳＲＳ信号を送信すると、基地局は送信アンテナの数が２であることにより、送信周期１、３、５、７…において受信したＳＲＳ信号が送信アンテナ１から送信され、送信周期２、４、６、８…において受信したＳＲＳ信号が送信アンテナ２から送信されたと確定できる。従来技術の移動端末における複数送信アンテナのＳＲＳ送信方式はＴＤＭ（時分割複信）方式とも称される。
【発明の概要】
【発明が解決しようとする課題】
【００１５】
本発明の発明者は従来技術における移動端末が複数の送信アンテナにより同時に（同一送信周期に）ＳＲＳ信号を送信できないことに気づいた。そのうちの1つの送信アンテナについては、ＳＲＳ信号を送信する周期の長さはＮ個の送信周期に相当し、Ｎが当該移動端末の送信アンテナ数と等しい。即ち、移動端末における1つの送信アンテナは、複数の送信周期が経ってから始めて基地局にＳＲＳ信号を送信できる。1つの送信アンテナがＳＲＳ信号を送信する間隔が長すぎるため、基地局が送信したＳＲＳ信号により各送信アンテナのアップリンク状態情報を正確に把握できなくなり、各送信アンテナに対する正確なチャネル推定もできなくなる。
【００１６】
本発明は以上のような課題に鑑みてなされたものである。本発明の第一の目的はサウンディング・レファレンス信号の受信方法及び基地局を提供し、基地局に移動端末における複数の高周波送信モジュールが複数の送信アンテナにより同一送信周期において送信したサウンディング・レファレンス信号（ＳＲＳ信号）を、受信できるようにする。
【００１７】
本発明の第二の目的はサウンディング・レファレンス信号送信方法及び移動端末を提供し、移動端末が備える複数高周波送信モジュールに、複数の送信アンテナにより同一送信周期でサウンディング・レファレンス信号を送信できるようにする。
【課題を解決するための手段】
【００１８】
サウンディング・レファレンス信号の受信方法は、
移動端末における高周波送信モジュールは送信周期が到達する際にそれぞれに割り当てられた伝送コム（ＴＣ）値と循環シフト（ＣＳ）値により送信したサウンディング・レファレンス信号（ＳＲＳ信号）を受信し、そのうち、任意の２つの高周波送信モジュールに割り当てるＴＣ値とＣＳ値が完全に同一ではないステップと、
前記各高周波送信モジュールに割り当てたＴＣ値とＣＳ値により、受信したＳＲＳ信号に対応する高周波送信モジュールを確定するステップと
を含む。
【００１９】
サウンディング・レファレンス信号の送信方法は、
送信周期が到達したかどうかを検出するステップと、
送信周期が到達する際、各高周波送信モジュールがそれぞれに割り当てられたＴＣ値とＣＳ値によりＳＲＳ信号を送信することを制御し、そのうち、任意の２つの高周波送信モジュールに割り当てたＴＣ値とＣＳ値が完全に同一したものではないステップと
を含む。
【００２０】
基地局は、
移動端末が備える各高周波送信モジュールが、送信周期が到達する際にそれぞれに割り当てられたＴＣ値とＣＳ値により送信したＳＲＳ信号を受信し、そのうち、任意の２つの高周波送信モジュールに割り当てたＴＣ値とＣＳ値が完全に同一信号ではない信号受信モジュールと、
前記高周波送信モジュールごとに割り当てたＴＣ値とＣＳ値により、前記信号受信モジュールが受信した各ＳＲＳ信号に対応する高周波送信モジュールを確定する信号確定モジュールと
を含む。
【００２１】
移動端末は、ＳＲＳ信号を送信する複数の送信アンテナを含み、
また、送信周期が到達したかどうかを検出する周期検出モジュールと、
前記周期検出モジュールが送信周期の到達を検出した際、各高周波送信モジュールがそれぞれに割り当てたＴＣ値とＣＳ値によりＳＲＳ信号を送信することを制御し、そのうち、任意の２つの高周波送信モジュールに割り当てたＴＣ値とＣＳ値が完全に同一ではない信号送信モジュールと
を更に含む。
【発明の効果】
【００２２】
本発明に係る実施形態には、各高周波送信モジュールに完全に同一ではないＴＣ値とＣＳ値を割り当てるため、移動端末が備える各高周波送信モジュールがそれぞれに割り当てられたＴＣ値とＣＳ値によりＦＤＭ方式、またはＣＤＭ方式を採用して同一送信周期で複数の送信アンテナによりＳＲＳ信号を送信できる。これにより、基地局がより正確なアップリンク状態情報を取得し、より正確なチャネル推定を行うことが可能になる。
【図面の簡単な説明】
【００２３】
【図１】従来技術のマルチ送信アンテナを備える移動端末が基地局にＳＲＳ信号を送信することを示す図である。
【図２】従来技術のマルチ送信アンテナを備える移動端末が基地局にＳＲＳ信号を送信するフロー図である。
【図３】従来技術の異なる移動端末がＦＤＭ技術を採用してＳＲＳ信号を送信することを示す図である。
【図４】従来技術における異なる移動端末がＣＤＭ技術を採用してＳＲＳ信号を送信することを示す図である。
【図５ａ】本発明に係る実施形態のマルチ高周波送信モジュールを備える移動端末が基地局にＳＲＳ信号を送信することを示す図である。
【図５ｂ】本発明に係る実施形態のマルチ高周波送信モジュールを備える移動端末が基地局にＳＲＳ信号を送信するフロー図である。
【図６】本発明に係る実施形態の基地局が備える内部構造を示す図である。
【図７】本発明に係る実施形態の移動端末が備える内部構造を示す図である。
【図８】本発明に係る実施形態の信号送信モジュールの内部構造を示す図である。
【発明を実施するための形態】
【００２４】
移動端末に高周波送信モジュールを更に増やし、基地局により移動端末における各高周波送信モジュールに異なるパラメータを配置し、移動端末における各高周波送信モジュールに同一送信周期で、それぞれに接続した送信アンテナでＳＲＳ信号を送信できるようにし、同時に送信されたＳＲＳ信号が相互に干渉しない技術を本発明に係る実施形態により提供する。例えば、移動端末が備える複数の高周波送信モジュールに異なるパラメータを配置した後、各高周波送信モジュールはそれぞれに接続された送信アンテナによりＦＤＭ（Ｆｒｅｑｕｅｎｃｙ  Ｄｉｖｉｓｉｏｎ  Ｍｕｌｔｉｐｌｅｘ、周波数分割複信）またはＣＤＭ（Ｃｏｄｅ  Ｄｉｖｉｓｉｏｎ  Ｍｕｌｔｉｐｌｅｘ、符号分割多元接続）方式によりＳＲＳ信号を送信し、（複数の）高周波送信モジュールの（複数）送信アンテナにより送信したＳＲＳ信号を相互に干渉させないようにする。即ち、移動端末における複数送信アンテナが同一ＳＲＳ送信周期でＳＲＳ信号を送信できるようになる。
【００２５】
以下にＦＤＭ技術を説明する。
移動端末のＳＲＳ信号は搬送波に変調されて基地局に送信する必要がある。基地局が移動端末に搬送波の周波数領域を割り当てることにより、異なる移動端末が送信したＳＲＳ信号が異なる周波数領域の搬送波を利用でき、各移動端末が送信したＳＲＳ信号が相互に干渉しないようになる。そして、同一周波数領域の搬送波は、ＴＣ（Ｔｒａｎｓｍｉｓｓｉｏｎ  Ｃｏｍｂ、伝送コム）値を利用し、周波数領域においてサブ搬送波レベル上にずらして配置されることも実現できる。移動端末に異なるＴＣ値を配置することにより、各移動端末が送信したＳＲＳ信号が相互に干渉しないようになる。図３に示すように、移動端末１と移動端末２が同一シンボル位置でＳＲＳを送信し、且つ移動端末１のサウディグ帯域幅ＢＷＳＲＳ_１と移動端末２のサウディグ帯域幅ＢＷＳＲＳ_２が重複する部分があると、基地局は移動端末１にＴＣ０を割り当て、移動端末２にＴＣ１を割り当て、二人のユーザーのＳＲＳ信号を周波数領域上でずらして配置できる。こうして、異なる移動端末が割り当てられたＴＣ値によりＦＤＭ方式でＳＲＳ信号を送信し、基地局は異なる周波数領域上のＳＲＳ信号を受信し、各周波数領域上の信号が各移動端末に分属されることを確定する。上述のように、ＴＣ値の異なるＳＲＳ信号が相互に干渉しないことがわかる。
【００２６】
以下にＣＤＭ技術を説明する。
異なる移動端末が完全に同一の時間・周波数リソース（同一の時間・周波数リソースとは、シンボル位置及び帯域幅の初期位置が同一であり、同一のＴＣ値を利用することを指す）でＳＲＳ信号を送信し、基地局が各移動端末に異なるＣＳ（Ｃｙｃｌｉｃ  ｓｈｉｆｔ、循環シフト）値を割り当てると、異なる移動端末が同一基本シーケンス（ＺａｄｅＯｆｆ−Ｃｈｕ  ｓｅｑｕｅｎｃｅ、当該ＺａｄｅＯｆｆ−Ｃｈｕ系列の生成は物理層標準により決定され、セルＩＤ（Ｉｄｅｎｔｉｔｙ、標識）、ＳＲＳ帯域幅、ＳＲＳを送信するアップリンクタイムスロット等により唯一確定される）に対して異なる循環シフトを行ったシーケンス（これらのシーケンスは相互に直交する）を利用し、異なる移動端末が送信したＳＲＳ信号も互いに識別できるようになる。図４に示すように、移動端末１と移動端末２が全く同じ区分の帯域幅（ＢＷＳＲＳ）をサウディグする必要があり、且つ２つの移動端末に割り当てたＴＣが同一（ともにＴＣ０である）である場合、基地局が移動端末１に循環シフト値ＣＳ０＝Ｃｙｃｌｉｃ  ｓｈｉｆｔ１を割り当て、移動端末２に循環シフト値ＣＳ１＝Ｃｙｃｌｉｃ  ｓｈｉｆｔ２を割り当て、２つの移動端末が同じＺａｄｅＯｆｆ−Ｃｈｕ系列に対してそれぞれ循環シフトを行って各自のリファレンス信号シーケンスを取得する。こうして、二人のユーザーのＳＲＳがコードドメインにおいて直交を実現できる。これにより、異なる移動端末が割り当てた異なるＣＳ値に基づいてＣＤＭ方式を利用してＳＲＳ信号を送信し、基地局は異なるコードドメイン上のＳＲＳ信号を受信した後、異なるコードドメインのシーケンスが異なる移動端末に分属することを確定する。上述のように、ＣＳ値が異なるＳＲＳ信号が相互に干渉しないことがわかる。
【００２７】
本発明に係る実施形態では、移動端末が備える複数の送信アンテナが同一ＳＲＳ送信周期でＳＲＳ信号を送信する。図５ａに示すように、移動端末が複数の高周波送信モジュールと複数の送信アンテナを有し、各高周波送信モジュールがそれぞれにひとつの（または複数）送信アンテナに接続される。複数の高周波送信モジュールは複数の送信アンテナにより同一ＳＲＳ送信周期でＳＲＳ信号を送信する具体的なフローは、図５ｂに示すように、以下のステップを含む。
【００２８】
Ｓ５０１において、基地局は移動端末にＳＲＳを送信する持続時間と、送信周期及び具体的なシンボル位置と、ＳＲＳを送信する周波数領域位置及び周波数ホッピングパターン等の送信パラメータを割り当て、これらのパラメータを移動端末に送信する。
【００２９】
基地局は、ＲＲＣ（Ｒａｄｉｏ  Ｒｅｓｏｕｒｃｅ  Ｃｏｎｔｒｏｌ、無線リソース制御）シグナリングのような高位層シグナリング、或いはＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）シグナリングのような物理層シグナリングによりこれらの送信パラメータを移動端末に送信する。
【００３０】
Ｓ５０２において、移動端末は、受信したこれらの送信パラメータを各送信アンテナに配置する。
【００３１】
Ｓ５０３において、基地局は移動端末における高周波送信モジュール数を取得する。
【００３２】
移動端末が基地局に高周波送信モジュール数を報告し、基地局が移動端末から報告された高周波送信モジュール数を受信する。異なる送信アンテナによりＳＲＳ信号を同時に送信できるように、移動端末に複数の高周波送信モジュールを配置したため、基地局が移動端末における高周波送信モジュール数を取得してから、高周波送信モジュール数に基づいて各高周波送信モジュールにそれぞれＴＣ値とＣＳ値を割り当てる必要がある。
【００３３】
Ｓ５０４において、基地局は前記移動端末における各高周波送信モジュールにそれぞれ完全に同一ではないＴＣ値とＣＳ値を割り当てる。
【００３４】
基地局は各高周波送信モジュールにそれぞれ完全に同一ではないＴＣ値とＣＳ値を割り当てる。即ち、基地局がこれらの高周波送信モジュールのうちの任意２つの高周波送信モジュールに割り当てたＴＣ値とＣＳ値は完全に同一ではない。換言すれば、これらの高周波送信モジュールに対して、２つの高周波送信モジュールに同様のＴＣ値とＣＳ値を割り当てない。任意の２つの高周波送信モジュールにおいて、ＴＣ値が異なるか、ＣＳ値が異なるか、あるいはＴＣ値とＣＳ値がともに異なることにより、任意の２つの高周波送信モジュールが異なる送信アンテナにより同時に送信したＳＲＳ信号を識別できるということが確保できる。即ち、任意２つの高周波送信モジュールが異なる送信アンテナによりＦＤＭ方式でＳＲＳ信号を送信するか、ＣＤＭ方式でＳＲＳ信号を送信することが確保できる。
【００３５】
基地局が移動端末における各高周波送信モジュールのそれぞれにＴＣ値とＣＳ値を割り当てる方式は多様であり、具体的な各割り当て方式については後に説明する。
【００３６】
ここで説明しなければならないのは、基地局が既定の高周波送信モジュール数で移動端末が備える各高周波送信モジュールにＴＣ値とＣＳ値を割り当てれば、移動端末が基地局に高周波送信モジュール数を報告する必要がなくなることである。
【００３７】
Ｓ５０５、基地局は今回の割り当て情報を移動端末に送信する。
【００３８】
基地局は高位層シグナリング（例えば、ＲＲＣシグナリング）や物理層シグナリング（例えばＰＤＣＣＨシグナリング）により、今回の各高周波送信モジュールに割り当てたＴＣ値とＣＳ値のそれぞれを示す割り当て情報を移動端末に送信する。基地局が送信した割り当て情報は多様であってもよく、各割り当て情報については後に説明する。
【００３９】
Ｓ５０６において、移動端末は割り当て情報を受信した後、当該割り当て情報により基地局が各高周波送信モジュールにＴＣ値とＣＳ値のそれぞれを割り当てることを確定し、確定されたＴＣ値とＣＳ値により各高周波送信モジュールを配置する。
【００４０】
Ｓ５０７において、送信周期が到達した場合、移動端末は各高周波送信モジュールがそれぞれに接続された送信アンテナによりＳＲＳ信号を送信することを制御する。
【００４１】
移動端末が送信周期の到達を検出した場合、それぞれに送信パラメータが配置され、かつ、完全に同一ではないＴＣ値とＣＳ値が配置された高周波送信モジュールが送信アンテナによりＳＲＳ信号を同時に送信する。即ち、移動端末は、複数の送信アンテナを有し、送信周期にＳＲＳ信号を同時に送信できる。
【００４２】
Ｓ５０８において、基地局は、移動端末が各送信アンテナにより送信されたＳＲＳ信号を受信した後、受信したＳＲＳ信号に対応する高周波送信モジュールを確定する。
【００４３】
基地局はＳＲＳ信号を受信した後、ＳＲＳ信号の具体的なシンボル位置や、ＳＲＳ信号を送信する周波数領域位置により、当該ＳＲＳ信号を送信した移動端末を確定できる。ＳＲＳ信号を送信した移動端末を具体的に確定する技術は当該分野における通常の知識を有する者に周知であるため、これ以上説明しない。移動端末が各送信アンテナにより送信したＳＲＳ信号が受信されたことを確認した後、基地局は受信したＳＲＳ信号のＴＣ値とＣＳ値を、その前に各高周波送信モジュールに割り当てたＴＣ値とＣＳ値と比較する。受信したＳＲＳ信号のＴＣ値とＣＳ値がいずれか1つの高周波送信モジュールに割り当てたＴＣ値とＣＳ値と同一であれば、受信したＳＲＳ信号が当該高周波送信モジュールにより送信されたものであることを確定できる。
【００４４】
各高周波送信モジュールにそれぞれが完全に同一ではないＴＣ値とＣＳ値を割り当てたため、各高周波送信モジュールにおいては、ＦＤＭ方式あるいはＣＤＭ方式でＳＲＳ信号を送信できる。ＦＤＭ方式、あるいはＣＤＭ方式で送信されたＳＲＳ信号は相互に識別できるため、各高周波送信モジュールはそれぞれに接続された送信アンテナによりＳＲＳ信号を同時に送信でき、また同時に送信されたＳＲＳ信号を識別できるため、移動端末が備える複数の送信アンテナが１つの送信周期でサウンディング・レファレンス信号を同時に送信できる。即ち、各送信周期に、複数の送信アンテナによりＳＲＳ信号を送信することが可能になる。
【００４５】
前記ステップＳ５０４において、基地局が移動端末における各高周波送信モジュールにそれぞれが完全に同一ではないＴＣ値とＣＳ値を割り当てる方法は具体的に以下の三つがある。
【００４６】
〈方法１〉基地局は移動端末における各高周波送信モジュールに同一のＴＣ値、異なるＣＳ値を割り当てる。
【００４７】
例えば、移動端末に４つの高周波送信モジュールがあるとし、基地局はこれらの４つの高周波送信モジュールに同一のＴＣ値を割り当て、また、それらの４つの高周波送信モジュールにＣＳ１、ＣＳ２、ＣＳ３、ＣＳ４の４つのＣＳ値を割り当てる。一般的に、基地局が一定の法則に従って各高周波送信モジュールに異なるＣＳ値を割り当てる。例えば、割り当てる次のＣＳ値がその前の割り当てたＣＳ値より１つの一定のオフセット量、即ちＣＳオフセット量の多くは、式（１）を参照する。
ＣＳｎ+１＝（ＣＳｎ＋ＣＳ_Ｓｈｉｆｔ）％ｍ・・・式（１）
ここで、ｎは１〜Ｎまでの自然数であり、Ｎは高周波送信モジュール数、ＣＳ１は割り当てたＣＳ初期値、ＣＳｎは第ｎ個の高周波送信モジュールのＣＳ値、ＣＳ_Ｓｈｉｆｔは設定されたＣＳオフセット量、ｍは１つの設定された正の整数である。一般的に１つのＣＳ値は３つのビットを占め、その値の範囲が０-７であれば、ＣＳオフセット量をＣＳ_Ｓｈｉｆｔ＝２に、ｍを８に設定できる。また４つの高周波送信モジュールの場合、ＣＳ初期値をＣＳ１＝０にすると、式（１）によってＣＳ２＝２、ＣＳ３＝４、ＣＳ４＝６のような結果が得られる。
【００４８】
もちろん、当該分野の当業者は実際の状況に合わせて他の方法を利用して各高周波送信モジュールに異なるＣＳ値を割り当てても良い。例えば、等分配則を利用して、１つのＣＳ値区分（例えば、値区分を０-７にする）を定め、高周波送信モジュールの数Ｎにより、間隔が同一或いはほとんど同一のＮ個のＣＳ値を取ってもよい。例えば、ＣＳの値区分を０−７にし、２個の高周波送信モジュールを有すれば、２個の高周波送信モジュールにそれぞれＣＳ１＝０、ＣＳ２＝４を、或いはＣＳ１＝３、ＣＳ２＝６などを割り当ててもよい。
【００４９】
前記ステップＳ５０５における基地局が移動端末に割り当てた情報を送信する方式も多様である。例えば、割り当て情報に各高周波送信モジュールに割り当てたＴＣ値とＣＳ値が含まれる。例を挙げると、４つの高周波送信モジュールがあれば、送信する割り当て情報に４つのＴＣ値と４つのＣＳ値が含まれる。移動端末は当該４組のＴＣ値とＣＳ値を受信した後、それぞれ各高周波送信モジュールにＴＣ値とＣＳ値を配置する。
【００５０】
または、割り当て情報に１つのＴＣ値と異なるＣＳ値が含まれる場合においては、基地局により移動端末が備える各高周波送信モジュールに割り当てられたＴＣ値は同一であるため、送信した割り当て情報に１個のＴＣ値とそれぞれ異なるＣＳ値が含まれば良い。移動端末は当該ＴＣ値とそれぞれ異なるＣＳ値に基づいて各高周波送信モジュールに配置する。
【００５１】
または、割り当て情報にＴＣ値とＣＳ値がそれぞれ１つのみ含まれる場合においては、各異なるＣＳ値の計算は一定の法則に基づくため、基地局は移動端末に１つのＣＳ値を送信した後、移動端末が同じ法則に基づき他のＣＳ値を算出することができ、さらに、受信したＴＣ値、ＣＳ値と算出したＣＳ値により各高周波送信モジュールにＴＣ値とＣＳ値を配置する。そこで、基地局と移動端末の各ＣＳ値の計算方法の同一性が要求され、基地局と移動端末が予めシグナリングによりＣＳ値の確定方法を確定するか、移動端末が１組のＴＣ値とＣＳ値を受信した際、既定のＣＳ値確定方法（例えば、式（１）の方法）を採用するか、という方法で各送信アンテナにＴＣ値とＣＳ値を配置する。
【００５２】
〈方法２〉
基地局が移動端末における各高周波送信モジュールに同一のＣＳ値、異なるＴＣ値を割り当てる。
【００５３】
各高周波送信モジュールに異なるＴＣ値を割り当てる方法は、方法１に類似した固定シフト（ｆｉｘ−ｓｈｉｆｔ）法、等分配法、他の方法等があるが、ここではこれ以上の説明は省略する。また、よりよい信号送信效果を得るためには、各ＴＣ値間の間隔が短か過ぎるのは望ましくない。現在、２つの高周波送信モジュールについては、２つの高周波送信モジュールのＴＣ値の反数を取り、即ちＴＣ１＝！ＴＣ２であり、こうして高周波送信モジュールが割り当てたＴＣ値により送信アンテナでＳＲＳ信号を送信する効果はよくなる。
【００５４】
方法１に類似する方法２において基地局が割り当て情報を送信する場合、割り当て情報には各高周波送信モジュールに割り当てたＴＣ値とＣＳ値が含まれてもよく、１つのＣＳ値と各異なるＴＣ値が含まれてもよく、また１つのＣＳ値と１つのＴＣ値のみ含まれてもよい。割り当て情報に１つのＣＳ値と１つのＴＣ値のみが含まれる場合は、方法１と同様に、移動端末が基地局と同様のＴＣ値算出方法で、送信したＴＣ値により他のＴＣ値を算出して、算出結果により各高周波送信モジュールにＴＣ値とＣＳ値を配置する。例えば、移動端末に２個の高周波送信モジュールがあり、基地局が２個の高周波送信モジュールに同一ＣＳ値を割り当てると同時に、それぞれにＴＣ１とＴＣ２を割り当てる。そのうちＴＣ１＝！ＴＣ２とすれば、基地局が移動端末に送信した割り当て情報にＣＳ値及びＴＣ１が含まれ、移動端末がＴＣ１により、ＴＣ１の反数をとり、ＴＣ２：ＴＣ２＝！ＴＣ１を得る。これにより、移動端末は高周波送信モジュール１にＴＣ１とＣＳ値を配置し、高周波送信モジュール２にＴＣ２とＣＳ値を配置する。
【００５５】
〈方法３〉
基地局は移動端末における各高周波送信モジュールに異なるＣＳ値、異なるＴＣ値を割り当てるというのは、任意の２つの高周波送信モジュールに割り当てるＣＳ値が異なり、ＴＣ値も異なることをいう。このような場合、各異なるＣＳ値を計算する際、一定の法則に従って計算してもよいし、各異なるＴＣ値を計算する際にも、一定の法則に従って計算しても良い。割り当て情報を送信する際、各高周波送信モジュールに割り当てたすべてのＴＣ値とＣＳ値を送信してもよいし、１組のみのＴＣ値とＣＳ値を送信して、移動端末が割り当てた情報のうちの１組のＴＣ値とＣＳ値と、基地局が採用したＴＣ値とＣＳ値の計算式（１）と同じ計算式を利用して、他のＴＣ値とＣＳ値を計算しても良い。
【００５６】
もちろん、基地局が移動端末における各高周波送信モジュールにＴＣ値とＣＳ値割り当てる際、前記方法１と方法２によって割り当てを行う。即ち、これらの送信アンテナにおいては、ある高周波送信モジュール間に互いＴＣ値が同じで、ＣＳ値が異なる。ある高周波送信モジュール間にＣＳ値が同じで、ＴＣ値が異なる。さらに、方法３の割り当て方法を参照してもよいが、その場合、ある高周波送信モジュールのＴＣ値とＣＳ値は、その他の高周波送信モジュールのそれぞれといずれも異なる。
【００５７】
ここで言うべきことは、移動端末における送信アンテナは高周波送信モジュール数と同一であっても良いことである。即ち、１つの高周波送信モジュールに対応して１つの送信アンテナが接続される。送信アンテナの数は高周波送信モジュール数より多くても良く、この場合、複数の送信アンテナが１つの高周波送信モジュールを共用できる。共用方法は従来技術と同じなので、これ以上説明しない。
【００５８】
図６に示すように、本発明に係る実施形態が提供する移動端末が送信したサウンディング・レファレンス信号を受信する基地局は信号受信モジュール６０４と、信号確定モジュール６０６とを有する。
【００５９】
信号受信モジュール６０４は、各高周波送信モジュールのそれぞれに接続された送信アンテナにより送信されたＳＲＳ信号を受信する。当該ＳＲＳ信号は、移動端末が基地局から送信した割り当て情報により各高周波送信モジュールにＴＣ値とＣＳ値を配置した後、各送信周期が到達する際、各高周波送信モジュールのそれぞれに配置されたＴＣ値とＣＳ値により、それぞれに接続された送信アンテナで送信されたものである。そのうち、任意の２つの高周波送信モジュールに割り当てたＴＣ値とＣＳ値は完全に同一したものではない。
【００６０】
信号確定モジュール６０６は、信号受信モジュール６０４が各送信アンテナから送信されたＳＲＳ信号を受信した後、信号受信モジュール６０４が受信したＳＲＳ信号のＴＣ値とＣＳ値によりＳＲＳ信号に対応する高周波送信モジュールを確定する。具体的な確定方法は上述したため、ここでは説明しない。
【００６１】
更に、基地局は、割り当てモジュール６０２と、割り当て情報送信モジュール６０３とを有する。
【００６２】
割り当てモジュール６０２は、前記移動端末における各高周波送信モジュールにＴＣ値とＣＳ値のそれぞれを割り当てる。割り当てモジュール６０２が用いる各高周波送信モジュールにＴＣ値とＣＳ値を割り当てる方法は、前記方法１、方法２および方法３のうちのいずれかを採用するか、または３つの方法を組み合わせた方法である。
【００６３】
割り当て情報送信モジュール６０３は、割り当てモジュール６０２の割り当て結果により前記移動端末に今回の割り当て情報を送信する。割り当て情報送信モジュール６０３が送信した割り当て情報に含まれた情報は多様であっても良い。含まれた情報は上述のものであるため、ここでは説明しない。
【００６４】
基地局は、移動端末が報告した高周波送信モジュール数を取得する数取得モジュール６０１と、数取得モジュール６０１が取得した高周波送信モジュール数により前記移動端末における各高周波送信モジュールにＴＣ値とＣＳ値のそれぞれを割り当てる割り当てモジュール６０２とを更に含む。
【００６５】
図７に示すように、本発明に係る実施形態が提供するサウンディング・レファレンス信号を送信する移動端末は、複数の送信アンテナ（不図示）と、信号送信モジュール７０４と、周期検出モジュール７０６とを含む。
【００６６】
周期検出モジュール７０６は、送信周期が到達することを検出する。
【００６７】
信号送信モジュール７０４は、周期検出モジュール７０６が送信周期の到達を検出した際、各高周波送信モジュールが各自に割り当てたＴＣ値とＣＳ値によりＳＲＳ信号を送信することを制御する。そのうち、任意の２つの高周波送信モジュールに割り当てたＴＣ値とＣＳ値が完全に同一したものではない。
【００６８】
移動端末は、割り当て情報受信モジュール７０２と、配置モジュール７０３とを有する。
【００６９】
割り当て情報受信モジュール７０２は、基地局が高周波送信モジュール数により各高周波送信モジュールに割り当てたＴＣ値とＣＳ値の割り当て情報を受信する。
【００７０】
配置モジュール７０３は、割り当て情報受信モジュール７０２が受信した割り当て情報により基地局が各高周波送信モジュールに割り当てたＴＣ値とＣＳ値を確定し、確定結果により各高周波送信モジュールに配置する。具体的には、配置モジュール７０３は割り当て情報により各高周波送信モジュールに割り当てるＴＣ値とＣＳ値を確定し、各高周波送信モジュールに確定されたＴＣ値とＣＳ値を配置する。
【００７１】
移動端末は、基地局に高周波送信モジュール数を報告する数報告モジュール７０１を更に有する。
【００７２】
信号送信モジュール７０４に含まれた、それぞれ1つ（或いは複数）の送信アンテナに接続された複数の高周波送信モジュール（図８に示すように）は、配置モジュール７０３が配置したＴＣ値とＣＳ値により、接続された送信アンテナでＳＲＳ信号を送信する。
【００７３】
本発明に係る実施形態には、各高周波送信モジュールが完全に同一ではないＴＣ値とＣＳ値を割り当てたため、移動端末における各高周波送信モジュールが、それぞれに割り当てられたＴＣ値とＣＳ値によりＦＤＭ方式かＣＤＭ方式を利用して同一送信周期で複数の送信アンテナによりＳＲＳ信号を送信できる。これにより、基地局はより正確なアップリンク状態情報を取得して、より正確なチャネル推定を行える。
【００７４】
基地局が各高周波送信モジュールに異なるＴＣ値またはＣＳ値を割り当てたが、移動端末に送信した割り当て情報の中にただ１つのＴＣ値と１つのＣＳ値が含まれたため、移動端末は割り当て情報中のただ１つのＴＣ値と１つのＣＳ値により、基地局が各送信アンテナにそれぞれ配置したＴＣ値とＣＳ値を確定できる。よって、基地局の送信した割り当て情報がシグナリング中の少ないｂｉｔを利用し、空間リソースの節約ができる。
【００７５】
当該分野に通常の知識を有する当業者が上述実施方法中の全部或いは一部ステップはプログラムが関連するハードウィアを命令することにより実施できる。当該プログラムはコンピューターの可読記憶媒体、例えば、ＲＯＭ/ＲＡＭ、磁気ディスクなどに保存できる。
【００７６】
最後に注意すべきことは、前記実施例は本発明の技術的な解決手段の説明だけであって、技術上の制限にはならない。本明細書では上述した実施例を参照し本発明を詳しく解説したが、当業者によって、上述した技術的な解決手段を改造し、またはその中の一部の技術素子を置換することもできる。このような改造と置換は本発明の各実施例の技術の範囲から逸脱するとはみなされない。
【図１】
2011525079.tif 000003
【図２】
2011525079.tif 000004
【図３】
2011525079.tif 000005
【図４】
2011525079.tif 000006
【図５ａ】
2011525079.tif 000007
【図５ｂ】
2011525079.tif 000008
【図６】
2011525079.tif 000009
【図７】
2011525079.tif 000010
【図８】
2011525079.tif 000011
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
移動端末が備える各高周波送信モジュールは、送信周期が到達する際、それぞれに割り当てられた伝送コムＴＣ値と循環シフトＣＳ値を含んで送信されたサウンディング・レファレンス信号ＳＲＳを受信するステップと、
前記それぞれ各高周波送信モジュールに割り当てたＴＣ値とＣＳ値により、受信した各ＳＲＳ信号に対応する高周波送信モジュールを確定するステップとを含み、
任意の２つの前記高周波送信モジュールに割り当てた前記ＴＣ値及びＣＳ値は、完全に同一ではない
ことを特徴とするサウンディング・レファレンス信号の受信方法。
【請求項２】
前記移動端末が備える各高周波送信モジュールが、送信周期が到達する際に各自に割り当てられたＴＣ値とＣＳ値により送信されたＳＲＳ信号を受信する前に、各高周波送信モジュールにＴＣ値とＣＳ値を割り当て、前記移動端末に割り当て情報を送信するステップを含む
ことを特徴とする請求項１記載のサウンディング・レファレンス信号の受信方法。
【請求項３】
前記各高周波送信モジュールにＴＣ値とＣＳ値を割り当てる前に、移動端末が備える高周波送信モジュール数を取得するステップを含み、
前記各高周波送信モジュールにＴＣ値とＣＳ値を割り当てることは、取得した高周波送信モジュール数により、各高周波送信モジュールにＴＣ値とＣＳ値を割り当てるステップを含む
ことを特徴とする請求項２記載のサウンディング・レファレンス信号の受信方法。
【請求項４】
前記各高周波送信モジュールにＴＣ値とＣＳ値を割り当てることは、
各高周波送信モジュールに同一のＴＣ値、及び異なるＣＳ値を割り当てるステップ、
各高周波送信モジュールに同一のＣＳ値、及び異なるＴＣ値を割り当てるステップ、
または、前記高周波送信モジュールのうちの任意２つの高周波送信モジュールに異なるＣＳ値を割り当て、及び任意２つの高周波送信モジュールに異なるＴＣ値を割り当てるステップを含む
ことを特徴とする請求項２記載のサウンディング・レファレンス信号の受信方法。
【請求項５】
前記各高周波送信モジュールに異なるＣＳ値を割り当てることは、
ｎを１〜Ｎの自然数とし、Ｎを高周波送信モジュール数とし、ＣＳｎを第ｎの高周波送信モジュールのＣＳ値とし、ＣＳ＿Ｓｈｉｆｔを設定されたＣＳオフセット量とし、ｍを設定された１つの正の整数であるとした場合に、
ＣＳｎ＋１＝（ＣＳｎ＋ＣＳ＿Ｓｈｉｆｔ）％ｍ  により表される式によって行われる
ことを特徴とする請求項４記載のサウンディング・レファレンス信号の受信方法。
【請求項６】
前記割り当て情報は、前記同一のＴＣ値、及び前記異なるＣＳ値のうちのいずれか１つのＣＳ値を含む
ことを特徴とする請求項５記載のサウンディング・レファレンス信号の受信方法。
【請求項７】
前記高周波送信モジュール数は２であり、
前記各高周波送信モジュールに異なるＴＣ値を割り当てることは、２つの高周波送信モジュールのそれぞれにＴＣ１とＴＣ２を割り当てることであり、
当該ＴＣ１と当該ＴＣ２が同一ではない
ことを特徴とする請求項４記載のサウンディング・レファレンス信号の受信方法。
【請求項８】
前記割り当て情報は、前記同一のＣＳ値と、前記異なるＴＣ値のいずれか１つであるＴＣ値を含む
ことを特徴とする請求項７記載のサウンディング・レファレンス信号の受信方法。
【請求項９】
前記割り当て情報は、各高周波送信モジュールに割り当てるすべてのＴＣ値とＣＳ値を含む
ことを特徴とする請求項２から５、及び請求項７のいずれか１に記載のサウンディング・レファレンス信号の受信方法。
【請求項１０】
送信周期が到達したかどうかを検出するステップと、
送信周期が到達した際、各高周波送信モジュールがそれぞれに割り当てられたＴＣ値とＣＳ値によりＳＲＳ信号を送信することを制御するステップとを含み、
任意の２つの前記高周波送信モジュールに割り当てたＴＣ値とＣＳ値は、完全に同一ではない
ことを特徴とするサウンディング・レファレンス信号の送信方法。
【請求項１１】
前記各高周波送信モジュールがそれぞれに割り当てられたＴＣ値とＣＳ値によりＳＲＳ信号を送信することを制御する前に、
基地局が各高周波送信モジュールに割り当てたＴＣ値とＣＳ値の割り当て情報を受信するステップと、
前記割り当て情報により基地局が各高周波送信モジュールに割り当てたＴＣ値とＣＳ値を確定するステップとを含む
ことを特徴とする請求項１０記載のサウンディング・レファレンス信号の送信方法。
【請求項１２】
前記基地局が各高周波送信モジュールに割り当てたＴＣ値とＣＳ値の割り当て情報を受信する前に、
基地局に高周波送信モジュール数を報告するステップと、
前記基地局が各高周波送信モジュールに割り当てたＴＣ値とＣＳ値が、前記高周波送信モジュール数により確定されるステップとを含む
ことを特徴とする請求項１１記載のサウンディング・レファレンス信号の送信方法。
【請求項１３】
前記各高周波送信モジュールに割り当てたＴＣ値とＣＳ値は、
各高周波送信モジュールのＴＣ値が同じであるがＣＳ値が異なる、
各高周波送信モジュールのＣＳ値が同じであるがＴＣ値が異なる、
または、各高周波送信モジュールのＣＳ値が異なりかつ各高周波送信モジュールのＴＣ値も異なる
ことを特徴とする請求項１１または１２記載のサウンディング・レファレンス信号の送信方法。
【請求項１４】
前記割り当て情報は各高周波送信モジュールに割り当てた同一のＴＣ値と、異なるＣＳ値のうちのいずれか一つのＣＳ値とを含み、
前記割り当て情報により基地局が各高周波送信モジュールに割り当てるＴＣ値とＣＳ値を確定することは、
前記割り当て情報中のＴＣ値により各高周波送信モジュールに前記同一のＴＣ値を割り当てることを確定するステップと、
前記割り当て情報中のＣＳ値により前記異なるＣＳ値を確定するステップと、
各高周波送信モジュールに確定した異なるＣＳ値を配置することを確定するステップとを含む
ことを特徴とする請求項1３記載のサウンディング・レファレンス信号の送信方法。
【請求項１５】
前記割り当て情報は、各高周波送信モジュールに割り当てた同一のＣＳ値と、前記異なるＴＣ値のうちのいずれか一つのＴＣ値とを含み、
前記割り当て情報により基地局が各高周波送信モジュールに割り当てるＴＣ値とＣＳ値を確定することは、
前記割り当て情報中のＣＳ値により前記各高周波送信モジュールに当該同一のＣＳ値を割り当てることを確定するステップと、
前記割り当て情報中のＴＣ値により前記異なるＴＣ値を確定するステップと、
各高周波送信モジュールにそれぞれ前記確定した異なるＴＣ値を配置することを確定するステップとを含む
ことを特徴とする請求項1３記載のサウンディング・レファレンス信号の送信方法。
【請求項１６】
前記割り当て情報は、各高周波送信モジュールに配置したすべてのＴＣ値とＣＳ値を含む
ことを特徴とする請求項1１〜１３のいずれか１に記載のサウンディング・レファレンス信号の送信方法。
【請求項１７】
移動端末が備える各高周波送信モジュールは送信周期が到達する際、それぞれに割り当てられたＴＣ値とＣＳ値により送信されたＳＲＳ信号を受信する信号受信モジュールと、
前記各高周波送信モジュールに割り当てたＴＣ値とＣＳ値により、前記信号受信モジュールが受信した各ＳＲＳ信号に対応する高周波送信モジュールを確定する信号確定モジュールとを有し、
任意の２つの前記高周波送信モジュールに割り当てたＴＣ値とＣＳ値は、完全に同一ではない
ことを特徴とする基地局。
【請求項１８】
前記移動端末が備える各高周波送信モジュールにＴＣ値とＣＳ値を割り当てる割り当てモジュールと、
前記割り当てモジュールの割り当て結果により前記移動端末に今回の割り当て情報を送信する割り当て情報送信モジュールとを有する
ことを特徴とする請求項１７記載の基地局。
【請求項１９】
移動端末が報告した高周波送信モジュール数を取得する数取得モジュールを更に有し、
前記割り当てモジュールは、前記数取得モジュールが取得した高周波送信モジュール数により前記移動端末における各高周波送信モジュールにＴＣ値とＣＳ値を割り当てる
ことを特徴とする請求項1８記載の基地局。
【請求項２０】
ＳＲＳ信号を送信する複数の送信アンテナを備える移動端末において、
送信周期が到達したかどうかを検出する周期検出モジュールと、
前記周期検出モジュールが送信周期の到達を検出した際、各高周波送信モジュールが各自に割り当てられたＴＣ値とＣＳ値によりＳＲＳ信号を送信する信号送信モジュールとを有し、
任意の２つの前記高周波送信モジュールに割り当てたＴＣ値とＣＳ値は、完全に同一ではない
を有することを特徴とする移動端末。
【請求項２１】
基地局が各高周波送信モジュールに割り当てたＴＣ値とＣＳ値の割り当て情報を受信する割り当て情報受信モジュールと、
前記割り当て情報受信モジュールが受信した割り当て情報により基地局が各高周波送信モジュールに割り当てたＴＣ値とＣＳ値を確定し、確定結果により各高周波送信モジュールを配置する配置モジュールとを有する
ことを特徴とする請求項２０に記載の移動端末。
【請求項２２】
前記基地局に高周波送信モジュール数を報告する数報告モジュールを更に含む
ことを特徴とする請求項２０または２１に記載の移動端末。
【国際調査報告】
2011525079.tif 000012
2011525079.tif 000013
2011525079.tif 000014
2011525079.tif 000015
2011525079.tif 000016
2011525079.tif 000017